(57)【要約】      （修正有）【課題】巻紙の摘み代を形成する機構をカバー側に設けて簡単な構造で摘み代を形成することができ、また見栄えを悪くしないロール巻紙ホルダーを提供する。【解決手段】巻紙１の先端を引っ張って繰出すと、紙が引っ掛けられた紙繰出し板８４が上部固定カバー部材７０Ｕから突き出るようにばね８２に抗して前進し、上部固定カバー部材７０Ｕの内面に取り付けられた弾性ストッパ部材８６によって維持され、紙の繰出し部分１Ｆを紙繰出し板８４のカッター刃４０によって折り返すように巻紙１の後続部分１Ｒから切り離すと、紙繰出し板８４は、上部固定カバー部材７０Ｕの先端を支点として梃運動してストッパ部材８６から外れて紙の摘み代１Ｅを残してばね８２によって上部固定カバー部材７０Ｕから引っ込むように戻る。【選択図】図４Ａ
2016221211.tif 000002
【特許請求の範囲】
【請求項１】
１対の側板を含むホルダ本体と、前記１対の側板の内面に取り付けられてロール巻紙を回転自在に保持する１対の巻紙受けと、前記１対の巻紙受けに保持されたロール巻紙を覆うようにホルダ本体に枢支して取り付けられ先端縁にカッター刃を有するカバーとを備えたロール巻紙ホルダにおいて、前記カバーは、前記ホルダ本体に枢支されたカバー保持部材と、前記カバー保持部材に固定して取り付けられた上下の固定カバー部材と、前記上下の固定カバー部材の間に配置されて前記巻紙を繰り出すように前記上部固定カバー部材に対して進退自在に配置された紙繰出し板を含む紙繰出し機構とを備え、前記紙繰出し板は、前記上部固定カバー部材に取り付けられたばねによって通常では前記上部固定カバー部材内に引き込まれるが前記ばねに抗して前記上部固定カバー部材に対して所定長さに突き出た位置に保持されることができ、また前記紙繰出し板は、前記巻紙の先端に引っ掛かって前記巻紙の繰出しに伴って前記紙繰出し板を前進するための紙引っ掛け部を有し、前記カッター刃は、前記紙繰出し板の先端に有し、且つ前記紙繰出し機構は、前記巻紙の繰出し部分を前記カッター刃によって巻紙の後続部分から切り離す動作によって前記巻紙から繰出された部分を引き戻すことなく前記所定長さに突き出た位置から前記ばねによって引き戻されるようにして巻紙の摘み代を形成するようにしたことを特徴とするロール巻紙ホルダ。
【請求項２】
請求項１に記載のロール巻紙ホルダであって、前記紙繰出し板を所定長さ以上に突き出た位置に保持するために、前記カバー保持部材に取り付けられ前記ばねによって前記紙繰出し板が引っ込むのを防止するように前記紙繰出し板の所定長さの突き出し位置で前記紙繰出し板の後端段部に係止するストッパ部材を有することを特徴とするロール巻紙ホルダ。
【請求項３】
請求項１に記載のロール巻紙ホルダであって、前記紙繰出し板が引き戻される際に、前記巻紙の後続部分(摘み代を含む部分)を前記紙繰出し板の前記紙引っ掛け部から剥離する手段を更に備えていることを特徴とするロール巻紙ホルダ。
【請求項４】
請求項２に記載のロール巻紙ホルダであって、前記紙繰出し板が引き戻される際に、前記巻紙の後続部分(摘み代を含む部分)が前記紙繰出し板の前記紙引っ掛け部から剥がれそこなった場合に、前記巻紙の後続部分を前記紙引っ掛け部から剥離する手段を更に備え、前記紙引っ掛け部から剥離する手段は、前記下部固定カバー部材及び／又は前記ストッパ部材の先端縁であることを特徴とするとロール巻紙ホルダ。
【請求項５】
請求項１乃至４のいずれかに記載のロール巻紙ホルダであって、前記上下の固定カバー部材は、前記巻紙の繰出し部分を前記カッター刃で折り返して切り離す際に手で押さえることなく持ち上がることがない程度の重量を有し、また前記紙繰出し板は、前記ばねによって前記上部固定カバー部材内に引き戻されるのを容易にするために、前記上下の固定カバー部材よりも軽量であることを特徴とするロール巻紙ホルダ。
【請求項６】
請求項１乃至５のいずれかに記載のロール巻紙ホルダであって、前記ばねは、前記固定カバー部材の内面に保持され両端が前記紙繰出し板の両端付近に接続され、前記固定カバー部材の内面に保持された磁石によって前記固定カバー部材の内面から離れないように保持されていることを特徴とするロール巻紙ホルダ。
【請求項７】
請求項１乃至６のいずれかに記載のロール巻紙ホルダであって、前記カバー保持部材は、垂直な下側部分と前方に傾いている上側部分とを有し、前記上側部分は、前記側板から上方に斜め前方に延びる延長部分に枢支されていることを特徴とするロール巻紙ホルダ。
【請求項８】
請求項１乃至７のいずれかに記載のロール巻紙ホルダであって、前記紙繰出し機構は、前記巻紙の繰出し部分を前記巻紙の後続部分から切り離す際に、前記紙繰出し板が梃の原理で前記固定カバーの先端縁を支点として搖動して前記紙繰出し板の後端縁が前記ストッパ部材を弾性的に押し下げることによって前記ストッパ部材の係止部から前記紙繰出し板の後端段部が外れ、それによって前記紙繰出し板を前記ばねによって引き戻すようになっていることを特徴とするロール巻紙ホルダ。
【請求項９】
請求項１乃至８のいずれかに記載のロール巻紙ホルダであって、前記紙繰出し板が前記上部固定カバー部材から引き込んだ位置で前記紙繰出し板のカッター刃の先端縁を覆うように前記上部固定カバー部材の内面先端部分に枢支して取り付けられ自重で下降する保護片を更に備えていることを特徴とするロール巻紙ホルダ。
【発明の詳細な説明】
【技術分野】
【０００１】
本本発明は、トイレットペーパの如きロール状の巻紙（ロール巻紙）を回転自在に保持し、巻紙の先端に摘み代を常に維持しつつロール巻紙を順次繰り出してこの繰出し部分（使用部分）を後続の巻紙部分から切り離すことができるロール巻紙ホルダの改良に関するものである。
【背景技術】
【０００２】
トイレットぺーパの如きロール巻紙を保持するロール巻紙ホルダは、一般に、少なくとも１対の側板を含むホルダ本体と、このホルダ本体の１対の側板の内面に取り付けられてロール巻紙を回転自在に保持する１対の巻紙受けと、この１対の巻紙受けに保持されたロール巻紙を覆うようにホルダ本体に枢支して取り付けられ先端縁にカッター刃を有するカバーとを備えている。このロール巻紙ホルダは、カバーとロール巻紙との間からロール巻紙の先端縁を引っ張ってロール巻紙の所定長さを繰り出し、カバーのカッター刃で巻紙の後続部分から繰出し部分（又は使用部分）を切り離すように使用される。
【０００３】
一方、この種のホルダにおいて、ロール巻紙の先端縁がカバーのカッター刃に一致して終わっていると、次の巻紙の繰出しに際して、ロール巻紙を引っ張るべき先端縁を摘み出すことが難しく、このために、巻紙の繰出し、切離しの操作後、巻紙の先端縁が摘み易くするように工夫された種々のロール巻紙ホルダが提案されている（特許文献１乃至４参照）。
【０００４】
特許文献１（特許第４４７８９９７号公報）のロール巻紙ホルダは、巻紙の摘み代を余分に繰り出すために、カバーの枢支部にロール巻紙弾圧位置とカバー起立位置との間を弾性的に維持するカバー保持機構とロール巻紙の繰り出し時にはロール巻紙に空転接触するが、ロール巻紙の繰り出し後ロール巻紙に摩擦的に接触しつつこのロール巻紙を所定長さだけ繰出し方向に回転するゴムローラとを備えている。
【０００５】
また、特許文献２（特開２００２-３３８０９４号公報）のロール巻紙ホルダは、１対の巻紙受けを相応する１対の側板に搖動自在に支持し、これらの搖動式巻紙受けと相応する側板との間に復帰ばねとストッパとを設け、ロール巻紙をカバーと共に押し下げた後、復帰ばねによる巻紙受けの瞬発的な復帰に伴うストッパに対する衝突後の惰性遠心力でロール巻紙の摘み代を形成するようになっている。
【０００６】
しかし、これらの従来技術のロール巻紙ホルダにおいては、ロール巻紙の繰出し後、摘み代を余分に繰り出すための機構は、１対の側板に配置され、且つこの摘み代繰出し機構は、左右両方の側板に有していないと、摘み代を有効に繰り出すことができないので、側板の構造が極めて複雑となる欠点があった。
【０００７】
一方、特許文献３（特開平１１-２０６６１７号公報）及び特許文献４（特開２０１４-１２１１２号公報）のロール巻紙ボルダは、側板ではなく、カバー側の特殊な構造によってロール巻紙の先端縁を摘むことができるように構成されている。即ち、特許文献３のホルダは、カバーの先端縁のカッターの一部に凹みを設けてこの凹みで巻紙の先端縁を引き出すことができるようにし、また特許文献４のホルダは、カバーの先端内面にスペーサを取り付けてこのスペーサによってカバーの先端がロール巻紙から浮き上がることによって巻紙の先端を引き出すことができるようにしている。
【０００８】
これらの特許文献３、４のホルダは、構造が簡単であるが、特許文献３のホルダでは、巻紙の先端縁がカッターの凹部によって切り離しがきれいに行われないため、見栄えが悪く、また、特許文献４のホルダは、ストッパによってカバーが常に浮き上がっているので、カバーが巻紙に接触している場合に比べて、巻紙の所定長の繰り出し後切離す操作が円滑に行われ難い欠点がある。
【先行技術文献】
【特許文献】
【０００９】
（１）  特許文献１  特許第４４７８９９７号公報
（２）  特許文献２  特開２００２−３３８０９４号公報
（３）  特許文献３  特開平１１−２０６６１７号公報
（４）  特許文献４  特開２０１４−１２１１２号公報
【発明の概要】
【発明が解決しようとする課題】
【００１０】
本発明が解決しようとする課題は、摘み代を形成する機構をその構造が複雑となる側板側ではなく、カバー側に設けて摘み代形成のための構造を簡単とし、且つ摘み代を見栄えよく、円滑に形成することができるロール巻紙ホルダを提供することにある。
【課題を解決するための手段】
【００１１】
本発明の課題解決手段は、１対の側板を含むホルダ本体と、前記１対の側板の内面に取り付けられてロール巻紙を回転自在に保持する１対の巻紙受けと、前記１対の巻紙受けに保持されたロール巻紙を覆うようにホルダ本体に枢支して取り付けられ先端縁にカッター刃を有するカバーとを備えたロール巻紙ホルダにおいて、前記カバーは、前記ホルダ本体に枢支されたカバー保持部材と、前記カバー保持部材に固定して間隔をあけて取り付けられた上下の固定カバー部材と、前記上下の固定カバー部材の間に配置されて前記巻紙を繰り出すように前記上部固定カバー部材に対して進退自在に配置された紙繰出し板を含む紙繰出し機構とを備え、前記紙繰出し板は、前記上部固定カバー部材に取り付けられたばねによって通常では前記上部固定カバー部材内に引き込まれるが前記ばねに抗して前記上部固定カバー部材に対して所定長さ突き出た位置に保持されることができ、また前記紙繰出し板は、前記巻紙の先端を引っ掛けて前記巻紙の繰出しに伴って前記紙繰出し板を前進するための紙引っ掛け部を有し、前記カッター刃は、前記紙繰出し板の先端に設けられ、且つ前記紙繰出し機構は、前記巻紙の繰出し部分を前記カッター刃によって巻紙の後続部分から切り離す動作によって前記巻紙の後続部分(摘み代を含む部分)を残したまま前記所定長さに突き出た位置から前記ばねによって元の位置に引き戻されるようにして巻紙の摘み代を形成することを特徴とするロール巻紙ホルダを提供することにある。
【００１２】
本発明の課題解決手段において、前記紙繰出し機構は、前記紙繰出し板を所定長さ以上に突き出た位置に保持するために、前記カバー保持部材に取り付けられ前記ばねによって前記紙繰出し板が引っ込むのを防止するように前記紙繰出し板の所定長さの突き出し位置で前記紙繰出し板の後端段部に係合するストッパ部材を更に含む形態とすることができる。
【００１３】
本発明の課題解決手段において、前記紙繰出し板が引き戻される際に、前記巻紙の後続部分(摘み代を含む部分)が前記紙繰出し板の前記紙引っ掛け部から剥がれそこなった場合に、前記紙の後続部分を前記紙引っ掛け部から剥離する手段を更に備えていることができる。
【００１４】
この紙引っ掛け部から剥離する手段は、前記下部固定カバー部材及び／又は前記ストッパ部材の先端縁とすることができる。
【００１５】
本発明の課題解決手段において、前記上下の固定カバー部材は、前記巻紙の繰出し部分を前記カッター刃で折り返して切り離す際に手で押さえることなく持ち上がることがない程度の重量を有し、また前記紙繰出し板は、前記ばねによって前記上部固定カバー部材内に引き戻されるのを容易にするために、前記上下の固定カバー部材よりも軽量であることが好ましい。
【００１６】
本発明の課題解決手段において、前記ばねは、前記上部固定カバー部材の内面に保持され両端が前記紙繰出し板の両端縁に接続された螺旋ばねの形態とすることができ、この螺旋ばねは、前記上部固定カバー部材の内面に保持された磁石によって前記上部固定カバー部材の内面から離れないように保持される形態とすることができる。
【００１７】
本発明の課題解決手段において、前記カバー保持部材は、垂直な下側部分と前方に傾いている上側部分とを有し、前記上側部分は、前記側板から上方に斜め前方に延びる延長部分に枢支されている形態とするのが好ましい。
【００１８】
本発明の課題解決手段において、前記紙繰出し機構は、前記巻紙の繰出し部分を前記巻紙の後続部分から切り離す際に、前記紙繰出し板が前記上部固定カバーの先端縁を支点として梃の原理で搖動して前記紙繰出し板の後端縁が前記ストッパ部材を弾性的に押し下げて前記ストッパ部材の係止部から前記紙繰出し板の後端段部が外れ、それによって前記紙繰出し板を前記ばねによって引き戻すようになっているのが好ましい。
【００１９】
本発明の課題解決手段において、前記紙繰出し板が前記上部固定カバー部材から引き込んだ位置で前記紙繰出し板のカッター刃の先端縁を覆うように前記上部固定カバー部材の内面先端部分に枢支して取り付けられ自重で下降する保護片を更に備えているのが好ましい。
【００２０】
本発明の課題解決手段によるロール巻紙ホルダは、巻紙の先端を引っ張ると、この巻紙の引張によってばねに抗して巻紙と共に紙繰出し板が前進して上部固定カバー部材の前縁よりも突き出るが、巻紙の繰出し部分を紙繰出し板の先端縁に設けられたカッター刃によって後続の巻紙部分から切り離すと、紙繰出し板は、後続の巻紙部分の先端縁を残してばねによって前記上部固定カバー部材よりも引っ込む位置まで引き戻される（後退する）ので、巻紙の摘み代が上部固定カバー部材よりも突き出た状態で残ることになる。
【００２１】
また、巻紙が切り離すべき所定長さの使用部分を繰り出して繰り出し操作を停止すると、紙繰出し板は、ばねに引き戻し力が作用していてもストッパ部材によって繰り出し状態に維持されるので、巻紙使用部分をカッター刃で切り離す動作を安定して行うことができ、更に、この切り離し動作の際に紙繰出し板がストッパ部材から外されるので、摘み代を残して紙繰出し板を確実に当初の引っ込み位置に戻すことができる。
【００２２】
巻紙の繰出し部分を後続の巻紙部分から切り離すカッター刃は、上下の固定カバー部材の重量で押さえられるので、この切り離し操作は、上部固定カバー部材を手で押さえることなく、片手で容易に行うことができる。
【００２３】
また、紙の摘み代は、紙繰り出し板が元の位置に引き戻される際に、紙繰出し板の紙引っ掛け部から離反して紙繰出し板と共に引き戻されることはないが、もし、紙繰出し板の紙引っ掛け部に付着したまま引き戻されることがあっても、下部固定カバー部材及び／又はストッパ部材の先端縁によって紙引っ掛け部から剥離されるので、摘み代が紙繰り出し板と共に引っ込むことがなく、摘み代を上部固定カバー部材から確実に突き出た状態に維持され、後の紙の繰り出しを容易に行うことができる。
【００２４】
また、上部固定カバー部材に紙繰出し板のカッター刃を覆う保護片を設けると、紙を繰出す際に、カッター刃に誤って指が触れることがなく、カッター刃によって指を傷めることがない。
【発明の効果】
【００２５】
本発明によれば、巻紙の先端を所定長の使用部分を繰り出した後、この使用部分をカッター刃によって切り離すと、後続の巻紙の先端に上部固定カバー部材から突き出た状態で摘み代を残すが、この摘み代を形成する機構は、ホルダの両側板側ではなく、カバー側に設けられているので、構造が簡単である上に、摘み代を残して巻紙使用部分を切り離す動作を円滑に行うことができ、また摘み代の突き出た状態の見栄えもよい。
【図面の簡単な説明】
【００２６】
【図１】本発明の好ましい実施の形態によるロール巻紙ホルダの斜視図である。
【図２】図１の巻紙ホルダの静止状態（紙繰出し前の状態）であって紙繰出し機構を断面で示す側面図である。
【図３】図２と同様であるが、巻紙ホルダの巻紙繰り出しの途中の状態の側面図である。
【図４Ａ】図３の状態よりも進んで巻紙繰出し部分（使用部分）を切り離す直前の状態の側面図である。
【図４Ｂ】図４Ａの状態の要部を拡大して紙繰出し板がストッパ部材から外れる状態を説明する説明図である。
【図５】図１のロール巻紙ホルダの正面図である。
【図６】図２のロール巻紙ホルダの巻紙の繰り出し前（静止状態）のカバー構成要素を図２のａ−ａ乃至ｅ−ｅでそれぞれ切断した断面図である。
【図７】図６と同じ状態であるが、図３のａ−ａ乃至ｅ−ｅでそれぞれ切断した断面図である。
【図８Ａ】図１の巻紙ホルダに用いられる上部固定カバー部材の裏側を示す斜視図である。
【図８Ｂ】図８Ａの上部固定カバー部材に用いられる折り返しピンの拡大斜視図である。
【図９Ａ】図１の巻紙ホルダに用いられる紙繰出し機構の紙繰出し板の裏側の斜視図である。
【図９Ｂ】図９Ａの紙繰出し板の先端縁を拡大した断面図である。
【図１０】図１の巻紙ホルダに用いられる下部固定カバー部材の裏側の斜視図である。
【図１１】図１の巻紙ホルダの巻紙が小径化した状態で巻紙を繰り出している途中の位置（巻紙が大径である図３に相応する位置）にあるのを示す側面図である。
【図１２】図１の巻紙ホルダの巻紙が小径化した状態で巻紙の繰り出し部分を切り離す位置（巻紙が大径である図４に相応する位置）にあるのを示す側面図である。
【図１３】図４の状態における紙繰出し板と下部固定カバー部材と紙繰出し部分との位置関係を示す拡大断面図である。
【図１４】残りの巻径が小さくなるにつれて紙の摘み代の長さが大きくなる状態を示す図である。
【図１５】上部固定カバー部材にカッター刃から指を保護する保護片が設けられた本発明の変形例の要部側面図である。
【図１６】図１５の変形例において紙繰出し板の紙繰出し位置で保護片が紙繰出し板のカッター刃からカッター刃が露出されている状態を示す要部側面図である。
【図１７】図１５の保護片の取付け状態を上部固定カバー部材の裏側から示す斜視図である。
【発明を実施するための形態】
【００２７】
本発明の１つの実施の形態によるロール巻紙ホルダ１０が図１乃至図５に示されており、このロール巻紙ホルダ１０は、１対の側板２２Ｒ、２２Ｌ(図1及び図５参照))を含むホルダ本体２０と、１対の側板２２Ｒ、２２Ｌの内面に取り付けられてロール巻紙１を回転自在に保持する１対の巻紙受け３０Ｒ、３０Ｌと、１対の巻紙受け３０Ｒ、３０Ｌに保持されたロール巻紙１を覆うようにホルダ本体２０に枢支して取り付けられ先端縁にカッター刃４０を有するカバー５０とを備えている。
【００２８】
カバー５０は、１対の側板２２Ｒ、２２Ｌの間でこれらの側板２２Ｒ、２２Ｌにピン６２(図５参照)で枢支されたカバー保持部材６０と、このカバー保持部材６０に固定して取り付けられた上向きに凸である円弧状の上下の固定カバー部材７０Ｕ、７０Ｌと、上下の固定カバー部材７０Ｕ、７０Ｌの間で上部固定カバー部材７０Ｕに対して進退自在に配置された紙繰出し機構８０とを備えている。
【００２９】
紙繰出し機構８０は、図８を参照して後に詳細に述べるように、上部固定カバー部材７０の裏面に取り付けられたばね８２によって通常では上部固定カバー部材７０内に引き込まれるが、ばね８２に抗して上部固定カバー部材７０Ｕに対してその先端から突き出ることができる紙繰出し板８４を備えている。
【００３０】
紙繰出し板８４は、その先端下面に巻紙１の先端に引っ掛かって又は摩擦的に係合して紙繰出し板８４を巻紙１の繰出しと共に同方向に移動する紙引っ掛け部８４Ｐを有し、カッター刃４０は、紙繰出し板８４の先端に設けられている。紙引っ掛け部８４Ｐは、図示の形態では、紙繰出し板８４の斜め先端面に設けられたやすり部分から成っており〈図９Ｂ参照〉、また、カッター刃４０は、紙繰出し板８４の斜先端面の端縁に設けられた鋸歯又はやすりから成っている。
【００３１】
紙繰出し機構８０は、その紙繰出し板８４が紙と共に繰出されて所定長さ以上に突き出た状態に保持するために、上部固定カバー部材７０Ｕの内面に設けられてばね８２によって紙繰出し板８４が引っ込むのを防止する爪状の弾性ストッパ部材８６を更に備えている。
【００３２】
上下の固定カバー部材７０Ｕ、７０Ｌは、巻紙１の繰出し部分（使用部分）１Ｆを後続の巻紙部分１Ｒからカッター刃４０によって切断する際に、手で押さえなくてもカバー５０が持ち上がることがないようにするのに充分な重量を有し、また紙繰出し板８４は、ばね８２によって上部固定カバー部材７０内に引き込まれるのを容易にすることができる程度の軽量に形成されているのが好ましい。
【００３３】
ばね８２は、図８Ａに示すように、上部固定カバー部材７０Ｕの裏面に蛇行するように配置してその両端が紙繰出し板８４の両端後面に接続され、従って紙繰出し板８４は、このばね８２によって固定カバー部材７０の前後方向（両端間を横切る方向）の後方に引っ張られて上部固定カバー部材７０Ｕから引き込まれた状態に維持される〈図２参照〉。なお、ばね８２は、折り返しピン８２Ｐ〈図８Ｂ参照〉を介して蛇行しており、また折り返しピン８２Ｐ間では折り返しピン８２Ｐから外れないように、磁石８２Ｍによって上部固定カバー部材７０Ｕの内面に向けて吸引されて保持されている。なお、磁石８２Ｍは、図２乃至図４に示すように、上部固定カバー部材７０Ｕ内に埋め込まれている。
【００３４】
弾性ストッパ部材８６は、図８Ａに示すように、上部固定カバー部材７０Ｕの内面の中央付近に取り付けられ、その先端に紙繰出し板８４の後端段部８４ＢＳに係止する係止部８６Ｅを有し、またこの係止部８６Ｅから後方に向けて上向きに傾斜して形成された肉厚部８６Ｔを有する。このストッパ部材８６は、図２乃至図４に示すように、常に上向きに持ち上げられて紙繰出し板８４の下面に押し付けられるような弾力性を有している。従って、紙繰出し板８４の基端部は、このストッパ部材８６の弾力性によって上部固定カバー部材７０に衝合するように付勢されている。
【００３５】
上下の固定カバー部材７０Ｕ、７０Ｌは、図２乃至図４に示すように、上部固定カバー部材７０Ｕが下部固定カバー部材７０Ｌよりも前方に突き出るような長さ関係に設定され、また下部固定カバー部材７０Lは、上部固定カバー部材７０Ｕから引っ込んだ後退位置にある紙繰出し板８４の紙引っ掛け部８４Ｐを覆うことがなく、紙の繰出し過程で紙がこの紙引っ掛け部８４Ｐに触れることができる程度の長さに設定されている（図２参照）。上部固定カバー部材７０Ｕは、その両端に側壁７０ＵＳを有し、上部固定カバー部材７０Ｕは、この側壁７０ＵＳが下部固定カバー部材７０Ｌの両端縁で相互に係合している。巻紙１の繰出し部分１Ｆを紙繰出し板８４に設けられたカッター刃４０によって切り離す際に、後に述べるように、紙繰出し板８４が上部固定カバー部材７０Ｕの先端縁を支点に梃運動してその後方が下降運動するが、この際、側壁７０ＵＳは、紙繰出し板８４が横振れするのを防止する機能を有する。なお、この側壁は、上部固定カバー部材７０Ｕ側ではなく、下部固定カバー部材７０Ｌ側にあってもよいし、両方の固定カバー部材側にあってもよい。
【００３６】
カバー保持部材６０を保持する側板２２Ｒ、２２Ｌは、側板２２Ｒ、２２Ｌの後端から垂直に延びる下側垂直部分２２ＲＶ、２２ＬＶ(符号２２ＬＶは、図示されていない)とこの下側垂直部分２２ＲＶ、２２ＬＶから前方に傾く上側傾斜部分２２ＲＣ、２２ＬＣとを有し、カバー保持部材６０は、側板２２Ｒ、２２Ｌの上側傾斜部分２２ＲＣ、２２ＬＣに枢支されている。
【００３７】
また、カバー保持部材６０は、図１乃至図４に示すように、側板２２Ｒ、２２Ｌと同様に、ほぼ垂直に延びる下側垂直部分６０ＬＶとこの下側垂直部分６０ＬＶから斜め前方に傾きながら上方に延びる上側傾斜部分６０ＵＣとを有する。カバー保持部材６０のこのような傾き構造の機能は、図１１、図１２を参照して後に詳細に述べる。
【００３８】
図２乃至図４に示すように、紙繰出し板８４は、上部固定カバー部材７０Ｕに対して後方に引き込まれた位置でその先端縁が上部固定カバー部材７０Ｕから離反し（図２参照）、上部固定カバー部材７０Ｕから所定長さ突き出した位置では、ストッパ部材８６によってこの突き出し位置に保持された状態で上部固定カバー部材７０Ｕに沿うような形状に設定されている（図３参照）。このようにすると、巻紙１の繰出し部分１Ｆを巻紙１の後続部分１Ｒから切り離す際に、紙繰出し板８４は、上部固定カバー部材７０Ｕの先端縁を支点として梃の原理で後方が下降するように、上部固定カバー部材７０Ｕによって相対的に押されるので、図４Ａに示すように、紙繰出し板８４の後端縁が下部固定カバー部材７０Ｌの溝７０ＬＧ内に沈み込みながらストッパ部材８６の傾斜肉厚部８６Ｔの後部を押し下げるため（図４Ｂの矢印ａ参照）、紙繰出し板８４の後端縁は、ストッパ部材８６の肉厚部８６Ｔに対して相対的に持ち上げられ（図４Ｂの矢印ｂ参照）、ストッパ部材８６の係止部８６Ｅから紙繰出し板８４の後端段部８４Ｓが外れ、それによって紙繰出し板８４は、ストッパ部材８６から解放されてばね８２によって引き戻される。
【００３９】
後に本発明のロール巻紙ホルダ１０の使用状態とともに述べるが、本発明のロール巻紙ホルダ１０においては、巻紙の使用部分の切り離し後、紙繰出し板８４がばね８２によって引き戻される際に、巻紙の摘み代１Ｅは、紙繰出し板８４の紙引っ掛け部８４Ｐから自動的に剥がれるので、摘み代１Ｅが紙繰出し板８４と共に引き込められることはないが、もし、摘み代１Ｅが紙引っ掛け部８４Ｐに引っ掛かったまま、紙繰出し板８４と共に一緒に引き戻されるようなことがあっても、摘み代１Ｅが紙繰出し板８４の紙引っ掛け部８４Ｐから剥がされて一緒に引き戻されるのを防止するために、巻紙１の摘み代１Ｅを含む後続部分を紙引っ掛け部８４Ｐから剥離する手段を備えており、この手段は、下部固定カバー部材７０Ｌ及び／又はストッパ部材８６の先端縁とすることができる。
【００４０】
本発明のロール巻紙ホルダ１０の使用状態を述べると、通常では、図１及び図２に示すように、紙繰出し機構８０の紙繰出し板８４は、上部固定カバー部材７０Ｕから引き込んだ後退位置にある。この状態から巻紙１の先端（先の繰出しで形成された摘み代）１Ｅを引っ張ると、この巻紙１の引っ掛け部８４Ｐによって巻紙１に引っ掛けられている紙繰出し板８４がばね８２に抗して巻紙１の先端と共に繰出されて紙繰出し板８４が前進し、上部固定カバー部材７０の前縁よりも突き出る（図３参照）。紙繰出し板８４がこのように上部固定カバー部材７０Ｕから突き出た状態は、紙繰出し板８４の後端段部８４ＢＳに係止するストッパ部材８６によって位置保持される。この状態から巻紙１の繰出し部分１Ｆを持ち上げて紙繰出し板８２の先端縁に設けられたカッター刃４０で折り返すようにして後続の巻紙部分１Ｒ(摘み代１Ｅ含む)から切り離すと、紙繰出し板８４は、既に述べたように、梃の原理で搖動するためストッパ部材８６が押し下げられてこのストッパ部材８６から解放するので（図４Ｂ参照）、紙繰出し板８４は、後続の巻紙部分１Ｒの先端縁（摘み代１Ｅ）を残してばね８２によって上部固定カバー部材７０Ｕよりも引っ込む図２の位置まで引き戻される（後退する）。従って、巻紙１の摘み代１Ｅが上部固定カバー部材７０よりも突き出た状態で残ることになる。なお、紙の繰出し長さを大きくするために、繰出すべき紙を当初は紙繰出し板８４の紙引っ掛け部８４Ｐに触れないように下向きに繰出し、その後、紙を紙繰出し板８４の紙引っ掛け部８４Ｐに係合するようにして所定の繰出し長さで繰り出すことができる。
【００４１】
このように、巻紙１の切り離すべき所定長さの繰出し（使用）部分１Ｆを繰り出して繰り出し操作を停止すると、紙繰出し板８４は、ばね８２の引き戻し力に拘わらずストッパ部材８６によって繰り出し状態に維持されるので、巻紙の使用部分１Ｆをカッター刃４０で切り離す動作を安定して行うことができ、また、この切り離し動作の際に紙繰出し板８４がストッパ部材８６から自動的に外されるので、摘み代１Ｅを残して紙繰出し板８４を確実に当初の引っ込み位置に戻すことができる。
【００４２】
この場合、摘み代１Ｅを含む紙後続部分は、紙引っ掛け部８４Ｐから自動的に剥がれるが、もし、摘み代１Ｅを含む紙後続部分が紙繰り出し板８４の紙引っ掛け部８４Ｐに引っ掛かったまま紙繰出し板８４と共に引き戻されようとすることがあっても、紙繰り出し板８４の引き戻しの際に、摘み代１Ｅを含む紙後続部分は、まず、下部固定カバー部材７０Ｌの先端縁によって紙引っ掛け部８４Ｐから引き剥がされ（図４Ａ、図１３の点線参照）、それでもまだ引き剥がされないようなことがあれば、その上方にあるストッパ部材８６の先端縁によって線引っ掛け部８４Ｐから引き剥がされ、摘み代１Ｅが上部固定カバー部材７０Ｕの先端より突き出た状態に戻る。なお、紙後続部分が捲れて引き戻されようとするのを早めに防止するために、下部固定カバー部材７０Ｌの先端縁は、上部固定カバー部材７０Ｕの先端縁よりも引っ込んではいるが、上部固定カバー部材７０Ｕの先端縁に近い位置にあるのが好ましい。
【００４３】
なお、紙繰出し板８４の紙引っ掛け部８４Ｐを有する先端は、巻紙１の残巻径が小さくなるにつれて下方に変位するので、図１４の（Ａ）乃至（Ｃ）に示すように、残巻径が小さくなるにつれて摘み代１Ｅｎｏ長さが大きくなる。
【００４４】
また、既に述べたように、上下の固定カバー部材７０Ｕ、７０Ｌは、巻紙の繰出し部分（使用部分）１Ｆを片手でカッター刃４０で折り返して離反すことができる程度の重量を有するので、巻紙１の繰出し部分を後続の巻紙部分１Ｒ２から容易に切離すことができる。
【００４５】
同様に、既に述べたように、カバー保持部材６０は、ほぼ垂直に延びる下側垂直部分６０ＬＶと前向きに傾斜する上側傾斜部分６０ＵＣとから成り、上側傾斜部分６０ＵＣが側板２２の上側傾斜部分２２ＵＣに枢支されているので、巻紙１が消費されて小径化しても、図１１及び図１２に示すように、カバー５０は、巻紙１が大径の際とほぼ同じ姿勢で巻紙１に係合し、従って巻紙１の摘み代１Ｅを有効に形成することができる。もし、カバー５０が垂直な側板に枢支された垂直なカバー保持部材に保持されていると、紙繰出し機構８０が小径の巻紙に届かなくなる虞があるため、カバー全体を相当に大型化しなければならなくなる。
【００４６】
このように、摘み代１Ｅを形成すべき紙繰出し機構８０は、ホルダ本体２０の側板２２と巻紙１との間ではなく、カバー５０内に設けられているので、構造が簡単であり、またストッパ部材８６によって紙繰出し板８４を繰出し位置に保持しつつ紙の繰出し部分（使用部分）１Ｆを後続の部分１Ｒから切り離すことができ、更に紙の使用部分１Ｆの切り離し操作で紙繰出し板８４は、ストッパ部材８６から自動的に解放されるので、操作が簡単である。
【００４７】
図６及び図７は、カバー５０の構成要素である上下の固定カバー部材７０Ｕ、７０Ｌと、紙繰出し板８４と、ストッパ部材８６との位置関係を異なる断面位置で示し、図６（Ａ）から図６（Ｅ）は、紙繰出し前の状態を示す図２のａ−ａ位置、ｂ-ｂ位置、ｃ-ｃ位置、ｄ-ｄ位置、ｅ−ｅ位置の断面を示し、図７（Ａ）から図７（Ｅ）は、紙繰出し後、繰出し部分１Ｆを切り離そうとする図４のａ−ａ位置乃至ｅ−ｅ位置の断面を示す。これらの図から上下の固定カバー部材７０Ｕ、７０Ｌと紙繰出し板８４とストッパ部材８６と下部固定カバー部材７０Ｌとの紙繰出し前と繰出し毎の位置関係が理解できることと思う。
【００４８】
本発明の変形例が図１５乃至図１７に示されており、この変形例では、紙繰出し板８４が上部固定カバー部材７０Ｕから引き込んだ位置で紙繰出し板８４のカッター刃４０の先端縁を覆うように上部固定カバー部材７０Ｕの先端部分内面の凹部７０ＵＲに支軸９２によって枢支して取り付けられ自重で下降する保護片９０を更に備えている。この保護片９０は、紙繰り出し板８４が上部固定カバー部材７０Ｕの先端よりも突出して紙を繰り出す際には、保護片９０は、図１６に示すように、紙繰出し板８４の上面に乗ってカッター刃４０から離反するので、紙繰出し部分１Ｆをカッター刃４０で後続の紙部分から切り離すのを邪魔することはない。
【産業上の利用可能性】
【００４９】
巻紙の摘み代を形成する機構は、カバー内に設けられているので、従来のように、側板と巻紙との間にも設けられる場合に比べて構造が極めて簡単となり、また紙の繰出し、切り離し等の操作性がよく、更に全体的に見栄えを悪くすることがなく、産業上の利用可能性が高い。
【符号の説明】
【００５０】
１      巻紙
１Ｅ    摘み代
１Ｆ    紙の繰出し部分
１Ｒ    後続の巻紙部分
１０      ロール巻紙ホルダ
２０      ホルダ本体
２２、２２Ｒ、２２Ｌ  側板
２２ＬＶ  下側垂直部分
２２ＵＣ  上側傾斜部分
３０Ｒ、３０Ｌ  巻紙受け
４０      カッター刃
５０      カバー
６０      カバー保持部材
６０ＬＶ  下側垂直部分
６０ＵＣ  上側傾斜部分
６２      枢支ピン
７０Ｕ、７０Ｌ  上下の固定カバー部材
７０ＵＳ  上部固定カバー部材の側壁
７０ＵＲ  凹み
８０      紙繰出し機構
８２      ばね
８２Ｐ    折り返しピン
８２Ｍ    磁石
８４      紙繰出し板
８４Ｐ    紙引っ掛け部
８４ＢＳ  後端段部
８６      爪状の弾性ストッパ部材
８６Ｅ    係止部
８６Ｔ    傾斜肉厚部
９０      保護片
９２      支軸
【図１】
2016221211.tif 000003
【図２】
2016221211.tif 000004
【図３】
2016221211.tif 000005
【図４Ａ】
2016221211.tif 000006
【図４Ｂ】
2016221211.tif 000007
【図５】
2016221211.tif 000008
【図６】
2016221211.tif 000009
【図７】
2016221211.tif 000010
【図８Ａ】
2016221211.tif 000011
【図８Ｂ】
2016221211.tif 000012
【図９Ａ】
2016221211.tif 000013
【図９Ｂ】
2016221211.tif 000014
【図１０】
2016221211.tif 000015
【図１１】
2016221211.tif 000016
【図１２】
2016221211.tif 000017
【図１３】
2016221211.tif 000018
【図１４】
2016221211.tif 000019
【図１５】
2016221211.tif 000020
【図１６】
2016221211.tif 000021
【図１７】
2016221211.tif 000022
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
１対の側板を含むホルダ本体と、前記１対の側板の内面に取り付けられてロール巻紙を回転自在に保持する１対の巻紙受けと、前記１対の巻紙受けに保持されたロール巻紙を覆うようにホルダ本体に枢支して取り付けられ先端縁にカッター刃を有するカバーとを備えたロール巻紙ホルダにおいて、前記カバーは、前記ホルダ本体に枢支されたカバー保持部材と、前記カバー保持部材に固定して取り付けられた上下の固定カバー部材と、前記上下の固定カバー部材の間に配置されて前記巻紙を繰り出すように前記上部固定カバー部材に対して進退自在に配置された紙繰出し板を含む紙繰出し機構とを備え、前記紙繰出し板は、前記上部固定カバー部材に取り付けられたばねによって通常では前記上部固定カバー部材内に引き込まれるが前記ばねに抗して前記上部固定カバー部材に対して所定長さに突き出た位置に保持されることができ、また前記紙繰出し板は、前記巻紙の先端に引っ掛かって前記巻紙の繰出しに伴って前記紙繰出し板を前進するための紙引っ掛け部を有し、前記カッター刃は、前記紙繰出し板の先端に有し、且つ前記紙繰出し機構は、前記巻紙の繰出し部分を前記カッター刃によって巻紙の後続部分から切り離す動作によって前記巻紙から繰出された部分を引き戻すことなく前記所定長さに突き出た位置から前記ばねによって引き戻されるようにして巻紙の摘み代を形成するようにしたことを特徴とするロール巻紙ホルダ。
【請求項２】
請求項１に記載のロール巻紙ホルダであって、前記紙繰出し板を所定長さ以上に突き出た位置に保持するために、前記カバー保持部材に取り付けられ前記ばねによって前記紙繰出し板が引っ込むのを防止するように前記紙繰出し板の所定長さの突き出し位置で前記紙繰出し板の後端段部に係止するストッパ部材を有することを特徴とするロール巻紙ホルダ。
【請求項３】
請求項１に記載のロール巻紙ホルダであって、前記紙繰出し板が引き戻される際に、前記巻紙の後続部分を前記紙繰出し板の前記紙引っ掛け部から剥離する手段を更に備えていることを特徴とするロール巻紙ホルダ。
【請求項４】
請求項２に記載のロール巻紙ホルダであって、前記紙繰出し板が引き戻される際に、前記巻紙の後続部分が前記紙繰出し板の前記紙引っ掛け部から剥がれそこなった場合に、前記巻紙の後続部分を前記紙引っ掛け部から剥離する手段を更に備え、前記紙引っ掛け部から剥離する手段は、前記下部固定カバー部材及び／又は前記ストッパ部材の先端縁であることを特徴とするとロール巻紙ホルダ。
【請求項５】
請求項１乃至４のいずれかに記載のロール巻紙ホルダであって、前記上下の固定カバー部材は、前記巻紙の繰出し部分を前記カッター刃で折り返して切り離す際に手で押さえることなく持ち上がることがない程度の重量を有し、また前記紙繰出し板は、前記ばねによって前記上部固定カバー部材内に引き戻されるのを容易にするために、前記上下の固定カバー部材よりも軽量であることを特徴とするロール巻紙ホルダ。
【請求項６】
請求項１乃至５のいずれかに記載のロール巻紙ホルダであって、前記ばねは、前記固定カバー部材の内面に保持され両端が前記紙繰出し板の両端付近に接続され、前記固定カバー部材の内面に保持された磁石によって前記固定カバー部材の内面から離れないように保持されていることを特徴とするロール巻紙ホルダ。
【請求項７】
請求項１乃至６のいずれかに記載のロール巻紙ホルダであって、前記カバー保持部材は、垂直な下側部分と前方に傾いている上側部分とを有し、前記上側部分は、前記側板から上方に斜め前方に延びる延長部分に枢支されていることを特徴とするロール巻紙ホルダ。  
【請求項８】
請求項２又は４に記載のロール巻紙ホルダであって、前記紙繰出し機構は、前記巻紙の繰出し部分を前記巻紙の後続部分から切り離す際に、前記紙繰出し板が梃の原理で前記固定カバーの先端縁を支点として搖動して前記紙繰出し板の後端縁が前記ストッパ部材を弾性的に押し下げることによって前記ストッパ部材の係止部から前記紙繰出し板の後端段部が外れ、それによって前記紙繰出し板を前記ばねによって引き戻すようになっていることを特徴とするロール巻紙ホルダ。
【請求項９】
請求項１乃至８のいずれかに記載のロール巻紙ホルダであって、前記紙繰出し板が前記上部固定カバー部材から引き込んだ位置で前記紙繰出し板のカッター刃の先端縁を覆うように前記上部固定カバー部材の内面先端部分に枢支して取り付けられ自重で下降する保護片を更に備えていることを特徴とするロール巻紙ホルダ。
【手続補正２】
【補正対象書類名】明細書
【補正対象項目名】００１１
【補正方法】変更
【補正の内容】
【００１１】
本発明の課題解決手段は、１対の側板を含むホルダ本体と、前記１対の側板の内面に取り付けられてロール巻紙を回転自在に保持する１対の巻紙受けと、前記１対の巻紙受けに保持されたロール巻紙を覆うようにホルダ本体に枢支して取り付けられ先端縁にカッター刃を有するカバーとを備えたロール巻紙ホルダにおいて、前記カバーは、前記ホルダ本体に枢支されたカバー保持部材と、前記カバー保持部材に固定して間隔をあけて取り付けられた上下の固定カバー部材と、前記上下の固定カバー部材の間に配置されて前記巻紙を繰り出すように前記上部固定カバー部材に対して進退自在に配置された紙繰出し板を含む紙繰出し機構とを備え、前記紙繰出し板は、前記上部固定カバー部材に取り付けられたばねによって通常では前記上部固定カバー部材内に引き込まれるが前記ばねに抗して前記上部固定カバー部材に対して所定長さ突き出た位置に保持されることができ、また前記紙繰出し板は、前記巻紙の先端を引っ掛けて前記巻紙の繰出しに伴って前記紙繰出し板を前進するための紙引っ掛け部を有し、前記カッター刃は、前記紙繰出し板の先端に設けられ、且つ前記紙繰出し機構は、前記巻紙の繰出し部分を前記カッター刃によって巻紙の後続部分から切り離す動作によって前記巻紙の後続部分を残したまま前記所定長さに突き出た位置から前記ばねによって元の位置に引き戻されるようにして巻紙の摘み代を形成することを特徴とするロール巻紙ホルダを提供することにある。
【手続補正３】
【補正対象書類名】明細書
【補正対象項目名】００１３
【補正方法】変更
【補正の内容】
【００１３】
本発明の課題解決手段において、前記紙繰出し板が引き戻される際に、前記巻紙の後続部分が前記紙繰出し板の前記紙引っ掛け部から剥がれそこなった場合に、前記紙の後続部分を前記紙引っ掛け部から剥離する手段を更に備えていることができる。